(57)【要約】  【課題】  原稿作成から長期間経過して、ユーザが一部のページを紛失してしまったような場合に、自動的にこの紛失した一部のページだけを検索して印刷できる画像管理装置を提供する。【解決手段】  まず、ページ情報が印刷された原稿を読取る読取手段と、読取られた原稿のページ情報に基づいて、欠落ページを検出する検出手段とを備える。これにより、原稿を読取った段階で、原稿のどのページが欠落しているかを判断することができる。次に、蓄積手段に蓄積された画像データを検索して、検出された欠落ページの画像データを特定する特定手段を備える。このように、欠落したページのみをページ情報に基づいて特定するため、処理が高速になる。そして、特定された画像データを印刷する印刷手段を備える。これにより、ユーザが紛失した一部のページだけを、迅速に印刷することができる。【選択図】  図１
2006148458.tif 000002
【特許請求の範囲】
【請求項１】
画像データを蓄積する蓄積手段と、該画像データにページ情報を付与して管理する管理手段とを備える画像管理装置において、
ページ情報が印刷された原稿を読取る読取手段と、
読取られた原稿のページ情報に基づいて、欠落ページを検出する検出手段と、
上記蓄積手段に蓄積された画像データを検索して、検出された欠落ページの画像データを特定する特定手段と、
特定された画像データを印刷する印刷手段とを備えることを特徴とする、画像管理装置。
【請求項２】
ユーザより入力されたパスワードが正当なパスワードであるか否かを判定する判定手段を備え、
上記印刷手段は、正当なパスワードであると判定されると、特定された画像データを印刷する請求項１に記載の画像管理装置。
【請求項３】
上記欠落ページのページ情報を上記管理手段から取得するページ情報取得手段と、
上記印刷手段は、特定された画像データを印刷する用紙の複数個所に取得されたページ情報を印刷する請求項１に記載の画像管理装置。
【発明の詳細な説明】
【技術分野】
【０００１】
本発明は、デジタル複合機等の画像管理装置に関する。
【背景技術】
【０００２】
近年、オフィス等で日々大量に作成される書類や画像を管理するために、様々な画像管理装置が登場してきている。典型例として、蓄積手段に蓄積された画像データにページ情報を付与して管理する管理手段を備えるデジタル複合機が挙げられる。このような画像管理装置あるいは画像管理システムは、すでに公知の技術が存在するが、一例として下記の特許文献（特開２００２−３４２３４３号公報）を挙げておく。
【０００３】
この技術の概略は以下の通りである。
【０００４】
即ち、図2に示すように、スキャナ等で読取った原稿21をハードディスク等の蓄積手段23に蓄積するとともに、この原稿の各ページに、２次元バーコードなどによるページ情報22を付与して管理しておくのである。こうすれば、ユーザがこの２次元バーコードを入力しさえすれば、当該原稿の全ページを取り出す（印刷する）ことができる。この際、余白にページ情報を付した原稿24として印刷することができる。なお、ページ情報には、原稿ID（タイトル）、各ページのページ番号や、作成者名、作成日時などの様々な情報を含めておくことができる。
【０００５】
一方で、こうして蓄積手段23に蓄積された大量の画像データの中から、ユーザが必要とする特定の画像を検索する技術が必要となってくる。このような検索技術の例が、下記の特許文献（特開２００４−２２０４２４号公報）に開示されている。
【０００６】
この技術を図3を用いて説明すると、概略、以下のようになる。
【０００７】
ユーザは、手元にある、印刷が必要な原稿の一部のページを読取手段31に読取らせ、例えば、原稿に付されたページ情報により検索元データを生成する。検索手段32は、この検索元データと一致する原稿の全部のページに対応する画像データを蓄積手段33内を検索して特定する。そしてこの特定された全部のページの画像データを印刷手段34により印刷するのである。
【特許文献１】特開２００２−３４２３４３号公報
【特許文献２】特開２００４−２２０４２４号公報
【発明の開示】
【発明が解決しようとする課題】
【０００８】
しかし、上記の技術には次のような問題点がある。
【０００９】
原稿作成から長期間経過すると、この原稿の一部のページを紛失してしまうということは多々ある。このような場合、ユーザはこの紛失したページのみを印刷すれば足りるのであるが、検索にかかった原稿の全部のページが印刷されてしまうので、紙資源の浪費へつながる。
【００１０】
本発明は以上のような問題点に鑑みてなされたものであり、ユーザが紛失した一部のページだけを、迅速に検索して印刷することができる画像管理装置を提供することを目的とする。
【課題を解決するための手段】
【００１１】
上記目的を達成するために、本発明では以下のような手段を採用している。
【００１２】
本発明では、画像データを蓄積する蓄積手段と、画像データにページ情報を付与して管理する管理手段とを備える画像管理装置を前提としている。なお、ページ情報には、ページ番号や、作成者名、作成日時などの様々な情報を含めておくことができるが、少なくとも上記のページ番号は含まれていることを前提条件とする。
【００１３】
そして、まず、このような画像管理装置において、ページ情報が印刷された原稿を読取る読取手段と、読取られた原稿のページ情報に基づいて、欠落ページを検出する検出手段とを備える。これにより、原稿を読取った段階で、原稿のどのページが欠落しているかを判断することができるのである。
【００１４】
次に、上記蓄積手段に蓄積された画像データを検索して、検出された欠落ページの画像データを特定する特定手段を備える。そして、特定された画像データを印刷する印刷手段を備える。これにより、ユーザが紛失した一部のページだけを、迅速に印刷することができる。
【発明の効果】
【００１５】
以上のように、本発明によれば、原稿作成から長期間経過して、ユーザが一部のページを紛失してしまったような場合に、自動的にこの紛失した一部のページだけを検索して印刷することができる。
【発明を実施するための最良の形態】
【００１６】
以下、本発明を実施するための最良の形態について、図面を参照しながら詳細に説明する。
【００１７】
図1は、本発明の画像管理装置の構成を示すブロック図である。図1に示すように、ハードディスク等の蓄積手段14には、複数の原稿21の画像データがファイルF1、F2、F3…として蓄積されている。ファイルF1、F2、F3…は、各原稿21の各ページの画像データ（以下、ページデータという）p1、p2、p3…で構成されている。管理手段13は、各ページデータp1、p2、p3…が蓄積されたアドレスと、各ページデータp1、p2、p3…のページ情報22を対応付けて、各原稿21の画像データをページ毎に管理している。ページ情報22には、ページデータp1、p2、p3…が構成するファイルF1、F2、F3…を示すファイル番号、ページデータp1、p2、p3…が原稿の何ページ目のデータであるかを示すページ番号が含まれる。尚、ページ情報22に、原稿の作成者名、作成日時などの様々な情報を含めておいても構わない。
【００１８】
蓄積手段14に蓄積された画像データを印刷すると、用紙には、画像データと共に図2に示すようなページ情報22が印刷される。
【００１９】
本発明において、ページ情報22が印刷された複数ページからなる原稿24のうち一部のページを紛失した場合、ユーザが紛失した一部のページだけを検索して印刷するには、次のようにする。
【００２０】
まず、ユーザは原稿24のうち手元にあるすべて（紛失したページ以外のページ）を読取手段11に読取らせる。このとき、読取手段11が自動給紙装置(ADF : Auto Document Feeder)を備えていれば、ユーザは操作がしやすい。
【００２１】
そして、検出手段12は読取手段11が読み取った原稿24に印刷されたページ情報22を解読して、上記ページ情報22に含まれるファイル番号に基づいて、読み取られた原稿24に対応する蓄積手段14に蓄積されたファイルを特定する。検出手段12は、特定したファイルが何個のページデータで構成されているのかを上記管理手段13に問合せて把握し、把握したページデータの個数と判読したページ情報22に含まれるページ番号によって、読取手段11が読取った原稿24の欠落ページを検出する。これにより、原稿を読取った段階で、原稿のどのページが欠落しているかを判断することができるのである。
【００２２】
こうして欠落ページが検出された後、検出手段12は、特定したファイル番号と、欠落ページのページ番号とを、特定手段15に通知する。すると、この特定手段15は、管理手段13にアクセスして、通知されたファイル番号と欠落ページのページ番号が含まれたページ情報22を特定し、特定したページ情報22と対応付けられて管理手段13に管理されたアドレスを取得する。特定手段15は、取得したアドレスに基づいて蓄積手段14に蓄積されたページデータを検索して、欠落ページのページデータを蓄積手段14から取得する。特定手段15は、取得したページデータと特定したページ情報22を印刷手段16に渡す。このように、欠落したページのみをページ情報に基づいてページデータを特定するため、処理が高速になるのである。そしてこうして取得手段15から渡されたページデータとページ情報22を印刷手段16が印刷する。
【００２３】
尚、ここで説明した方法でページデータとページ情報22を印刷する場合は、特定手段15がページ情報取得手段としても機能している。
【００２４】
以上により、ユーザが紛失した一部のページだけを、迅速に検索・印刷することができる。
【００２５】
なお、ページ情報には上述のファイル番号、ページ番号、作成者名、作成日時などのほか、画像データの不正使用を防ぐために、パスワードを含めておくことができる。これにより、特定手段15が特定したページデータを印刷手段16が印刷する段階で、本発明の画像管理装置に次のような動作をさせることもできる。
【００２６】
即ち、特定手段15は、ページ情報22を特定したときに、アドレスを取得すると共に、取得したページ情報22にパスワードが含まれているか否かを判定する。パスワードが含まれている場合、特定手段15は、パスワードを判定手段17に入力する。判定手段１７は、パスワードが入力されると、本発明の画像管理装置の液晶パネルなどに、ユーザに対してパスワードを入力させる画面を表示させる。そしてユーザがこれに応答して、特定手段15から入力されたパスワードと同じものを入力した場合、判定手段17は、正当なパスワードが入力されたことを特定手段15に通知する。この通知を受け取ると、始めて特定手段15は、蓄積手段14に蓄積されたページデータの検索を行うようにする。
【００２７】
また、パスワードとして、暗証番号やパスワードのほかに、簡単な質疑応答文を用いることもできる。即ち、予め、ユーザのニックネームや出身学校等をパスワードとして登録しておき、上記液晶パネルに、「貴方のニックネームは？」「出身学校は？」などの質疑応答分を表示させる。そしてユーザがこれに応答して適切な回答を入力した場合にのみ、判定手段17は、特定手段15に正当なパスワードが入力されたことを通知する。
【００２８】
さらに、上述の通り、印刷手段16がページデータを印刷する際には、余白にページ情報22を付した原稿24として印刷することができるのであるが、このページ情報22を付す（印刷する）方法にも様々な態様が考えられる。
【００２９】
例えば、今後の原稿の汚損等を考慮して、用紙の隅の数箇所（2から4箇所）に印刷してもよい。また、用紙の表面に1箇所、裏面に数箇所印刷するようにしてもよい。さらに、ページ情報22が目立つのを嫌う場合には、印刷手段16としてカラー印刷機を用い、目立ちにくい色（例えば黄色）で印刷することも可能である。もちろん、これらの方法を組み合わせてページ情報22を印刷してもよい。
【産業上の利用可能性】
【００３０】
本発明にかかる画像管理装置は、多数のページからなる原稿のうち、ユーザが紛失した一部のページだけを、迅速に検索して印刷することができるので、オフィス等で書類管理等を行うためのデジタル複合機等として有用である。
【図面の簡単な説明】
【００３１】
【図１】本発明に係る画像管理装置の構成を示すブロック図。
【図２】原稿とページ情報の模式図。
【図３】従来の画像管理装置の構成を示すブロック図。
【符号の説明】
【００３２】
11読取手段
12検出手段
13管理手段
14蓄積手段
15特定手段
16印刷手段
17判定手段
【図１】
2006148458.tif 000003
【図２】
2006148458.tif 000004
【図３】
2006148458.tif 000005